(57)【特許請求の範囲】
【請求項１】
一方面が床面に固着され、他方面に機器の脚部が載置される固着部と、前記脚部を前記固着部の他方面に固定する固定部とを具備し、前記固着部は、前記脚部の他方面上での移動を制限する移動制限部と、他方面に立設され、前記固定部が連結される連結受け部とを備え、前記固定部は、前記脚部が挿入される切欠部と、前記連結受け部に連結される連結部と、前記固着部に固定する固定手段とを備え、前記固着部は、一方面に接着部を有する固着基部と、前記固着基部の他方面に設けられ、前記移動制限部と前記連結受け部とを有する固着板部とを備え、前記固着基部と前記固着板部との間に前記連結受け部と交差する方向へガイド溝部が設けられ、前記固定部には前記切欠部の開放する方向と略平行な方向へ前記ガイド溝部を摺動するスライド部が設けられていることを特徴とする耐震固定具。
【請求項２】
前記連結受け部は、前記連結部が挿通される挿通穴を有することを特徴とする請求項１に記載の耐震固定具。
【請求項３】
前記固定部は、前記切欠部が設けられた固定板部と、前記固定板部に立設され、前記固定板部と前記固着部とを所定距離離反させる立設部とを備えることを特徴とする請求項２に記載の耐震固定具。
【請求項４】
前記固定手段は、前記挿通穴に挿通された前記連結部へ着脱可能に設けられた留め具を備えることを特徴とする請求項２または請求項３に記載に記載の耐震固定具。
【請求項５】
前記切欠部が開放する一片が前記連結部に相対する側となっていることを特徴とする請求項１乃至請求項４のいずれか１項に記載の耐震固定具。
【発明の詳細な説明】
【技術分野】
【０００１】  本発明は、両替機・自動販売機・ＡＴＭ・券売機・コンピューターサーバ・業務用ゲーム機・医療機器・各種計測器・精密機器・業務用冷蔵庫等の設置機器が、地震や振動等で倒れたり移動したりするのを防止する耐震固定具に関する。
【背景技術】
【０００２】  従来から、両替機・自動販売機等の比較的重量のある機器は、地震や振動等によって倒れたり移動したりするのを防止するためにアンカーボルトを使用して床面に固定することが行われていた。具体的には、設置する機器の下面に螺着されたアジャスタに、アジャスタ押え金具を取り付ける一方、床面にアンカーボルトを打ち込む。そして、アンカーボルトに、アジャスタ押え金具のアンカー穴を挿通させた状態で、ナットをアンカーボルトに螺着させることにより機器を床面に固定することが行われている。【０００３】  また、特許文献１に開示の固定器具では、剛性を有する板状体の上面に機器を固定する固定用部材が溶接等によって取り付けられ、板状体の下面に衝撃吸収材が貼着られた構成を有し、該固定用部材に設けられたＵ字状の切欠部へ機器のアジャスタを挿入し、ボルト等を該切欠部の解放端に掛け渡すことにより機器を床面に固定することが開示されている。
【先行技術文献】
【特許文献】
【０００４】
【特許文献１】  特許第２９１２６１０号公報
【発明の概要】
【発明が解決しようとする課題】
【０００５】  しかしながら、アンカーボルトを使用する方法では、アンカーボルトの打ち込み作業に手間がかかり、作業が煩雑で作業時間も長くなるという問題があった。しかも、機器を撤去したり移動したりする際には、アンカーボルトを床面から抜き取ったり打ち直したりする必要があり、その作業が極めて煩雑であった。さらに、アンカーボルトを抜き取った後は床面が損傷しているため、その修復作業が困難で、時間と費用がかかるという問題もあった。【０００６】  また、特許文献１に開示の固定器具では、機器のアジャスタを固定する固定用部材が板状体に溶接されてしまっているため、既に設置されている機器を特許文献１の固定器具で床面に固定する場合には、板状体の床面への貼着位置を正確に行わなければならない問題があった。さらに、固定用部材に設けられたＵ字状の切欠部へ機器のアジャスタを挿入するのに、比較的重量のある機器を持ち上げながら平行移動させなければならず、その作業が極めて煩雑となる問題があった。
【課題を解決するための手段】
【０００７】  この発明の目的は、上述した事情に鑑みなされたもので、アンカーボルトを使用することなく機器等を強固に固定でき、しかも設置が容易で移動や撤去も簡便な耐震固定具を提供することである。【０００８】
上述した課題を解決し、目的を達成するため、この発明に係わる耐震固定具は、請求項１の記載によれば、一方面が床面に固着され、他方面に機器の脚部が載置される固着部と、前記脚部を前記固着部の他方面に固定する固定部とを具備し、前記固着部は、前記脚部の他方面上での移動を制限する移動制限部と、他方面に立設され、前記固定部が連結される連結受け部とを備え、前記固定部は、前記脚部が挿入される切欠部と、前記連結受け部に連結される連結部と、前記固着部に固定する固定手段とを備え、前記固着部は、一方面に接着部を有する固着基部と、前記固着基部の他方面に設けられ、前記移動制限部と前記連結受け部とを有する固着板部とを備え、前記固着基部と前記固着板部との間に前記連結受け部と交差する方向へガイド溝部が設けられ、前記固定部には前記切欠部の開放する方向と略平行な方向へ前記ガイド溝部を摺動するスライド部が設けられていることを特徴とする。
【０００９】
また、この発明に係わる耐震固定具は、請求項２の記載によれば、前記連結受け部は、前記連結部が挿通される挿通穴を有することを特徴とする。
【００１０】
また、この発明に係わる耐震固定具は、請求項３の記載によれば、前記固定部は、前記切欠部が設けられた固定板部と、前記固定板部に立設され、前記固定板部と前記固着部とを所定距離離反させる立設部とを備えることを特徴とする。
【００１１】
また、この発明に係わる耐震固定具は、請求項４の記載によれば、前記固定手段は、前記挿通穴に挿通された前記連結部へ着脱可能に設けられた留め具を備えることを特徴とする。
【００１２】
また、この発明に係わる耐震固定具は、請求項５の記載によれば、前記切欠部が開放する一片が前記連結部に相対する側となっていることを特徴とする。
【発明の効果】
【００１５】  この発明によれば、設置済みの機器に対しても容易に取り付けが可能な耐震固定具を提供することができる。【００１６】  また、この発明によれば、機器に取り付けても邪魔にならず、かつ取り外しも容易な耐震固定具を提供することができる。
【図面の簡単な説明】
【００１７】
【図１】  本発明の耐震固定具を示す斜視図
【図２】  取り付け前の耐震固定具を示す斜視図
【図３】  取り付け途中の耐震固定具を示す斜視図
【図４】  取り付け途中の耐震固定具を示す別の斜視図
【図５】  第２の実施例の固着部を示す図
【図６】  第２の実施例の固定部を示す図
【発明を実施するための形態】
【実施例】
【００１８】  ＜第１の実施例＞
以下に図面を用いて本発明の第１の実施例を説明する。図１は、本発明の耐震固定具を示す斜視図である。図２は、取り付け前の耐震固定具を示す斜視図である。図３は、取り付け途中の耐震固定具を示す斜視図である。図４は、取り付け途中の耐震固定具を示す別の斜視図である。【００１９】  本発明の第１の実施例の耐震固定具１０は、転倒や移動を防止したい両替機・自動販売機・ＡＴＭ・券売機・コンピューターサーバ・業務用ゲーム機・医療機器・各種計測器・精密機器・業務用冷蔵庫等の機器の脚部５０に用いられる。これらの機器の脚部５０は、床面に設置される脚端部５２と雄ネジが螺設された脚軸部５４からなる所謂レベルアジャスタが用いられている。このレベルアジャスタは、脚軸部５４に螺設された雄ネジが機器本体の雌ネジに螺合されており、脚軸部５４の回転により機器の高さを調節することが可能となっている。【００２０】  図１及び図２を用いて本発明の第１の実施例の耐震固定具１０を説明する。図１は、機器の脚部５０が転倒したり移動したりすることを防止した状態の耐震固定具１０を示している。図２は、脚部５０を取り付ける前の耐震固定具１０を示している。【００２１】  耐震固定具１０は、一方面が床面に固着され、他方面に脚部５０の脚端部５２が載置される固着部２０と、脚部５０の脚軸部５４を固着部２０の他方面に固定する固定部３０とを概略具備している。【００２２】  固着部２０は、一方面に接着部２２を有する略円形の固着基部２１と、固着基部２１の他方面（固着部２０の他方面）に設けられる略方形の固着板部２３とを備えている。また、固着板部２３は、固着基部２１の他方面上に載置される脚端部５２の移動を制限する移動制限部としての固着板穴部２４と、固着板部２３の他方面の一辺に立設され、内部に後述する連結部３５が挿通される２個の挿通穴２６を有する連結受け部２５とを備えている。なお、挿通穴２６の固着基部２１からの離反方向の位置は、後述する立設部３３の高さに合わせて設定されている。【００２３】  また、固定部３０は、脚部５０の軸脚部５４が挿入される切欠部３２が設けられた略方形の固定板部３１と、連結受け部２５に連結される連結部３５と、固定板部３１の一辺に固着基部２１の側へ向かって立設され、固定板部３１と固着基部２１（固着部２０）とを所定距離離反させる立設部３３とを備えている。【００２４】  切欠部３２は、固定板部３１の一辺で開放するＵ字状の切り欠きで、切り欠きと垂直な方向の長さ（幅）は挿入される軸脚部５４の軸直径より若干大きく設定されている。なお、切欠部３２が開放する一辺は、連結受け部２５に相対する側となっている。また、切り欠き方向の長さ（深さ）は略方形の固定板部３１（固定部３０）の略中心となるように設定されている。【００２５】  連結部３５は、切欠部３２が開放する一辺の側に設けられ、固定板部３１から突出する２個の突出部３５ａで構成されている。また、突出部３５ａの各々には、後述する固定手段３６としてのネジやピン等を取り付ける突出穴部３５ｂが設けられている。なお、突出穴部３５ｂには後述するネジ４０を螺合するための雌ネジが螺設されている。【００２６】  立設部３３は、固定板部３１の切欠部３２が開放す��一辺に向かい合う他の一辺で固着基部２１（固着板部２３）の側に立設された立設板部３３ａと、立設板部３３ａの固定板部３１と接続する側とは反対の側に設けられた立設接地部３３ｂとから構成されている。この立設部３３と、連結受け部２５に連結される連結部３５により、固定板部３１が固着基部２１から所定距離離反する位置に保持される。なお、挿通穴２６と固着基部２１との離反距離は、立設部３３の高さとなる立設板部３３ａの固定板部３１に垂直な方向の長さと立設接地部３３ｂの固定板部３１に垂直な方向の長さ（即ち立設接地部３３ｂの板厚）との和と略同じに設定されているので、固定板部３１は、固着基部２１及び固着板部２３と略平行となるように維持される。【００２７】  また、固着基部２１と固着板部２３との間には、連結受け部２５と略垂直に交差する方向にガイド溝部２７が設けられている。さらに、切欠部３２の開放する方向と略平行な方向（固定板部３１の一辺と略垂直な方向）であり、ガイド溝部２７と略平行である方向へこのガイド溝部２７を摺動するスライド部３７が設けられている。【００２８】  ガイド溝部２７は２カ所設けられており、図２に示すように、その大きさが固着板部２３より小さく設定され、固着基部２１と固着板部２３との間に設けられた略方形の板状部材２８の４辺のうちの固定板部３１の一辺と略垂直な方向（連結受け部２５と略垂直な方向）の２辺と、固着基部２１の他方面と、固着板部２３の一方面（固着基部２１の他方面と相対する面）と、で構成されている。また、板状部材２８の略中心には、固着板穴部２４と同じ大きさの板状部材穴部２８ａが、固着板穴部２４に重なるように配置されている。【００２９】  また、スライド部３７は固定板部３１の立設部３３に垂直な方向の２辺に各々設けられており、固定板部３１の固着基部２１（固着板部２３）の側に立設されたスライド板部３７ａと、スライド板部３７ａの固定板部３１と接続する側とは反対の側に設けられたスライド接地部３７ｂとから構成されている。【００３０】  なお、スライド部３７の高さとなるスライド板部３７ａの固定板部３１に垂直な方向の長さとスライド接地部３７ｂの固定板部３１に垂直な方向の長さ（即ちスライド接地部３７ｂの板厚）との和は、立設板部３３ａの固定板部３１に垂直な方向の長さと立設接地部３３ｂの板厚との和と略同じに設定されているので、固定板部３１は、固着基部２１及び固着板部２３と略平行となるように維持される。また、このような構成を有するので、スライド部３７をガイド溝部２７に摺動させて固定部３０を固着部２０に配置する際にも、がたつき無く配置することが可能である。【００３１】  また、２カ所のスライド部３７の摺動面間の幅は、２カ所のガイド溝部２７の摺動面間の幅より大きく設定されている。なお、図４に示すように、スライド部３７の固定板部３１の一辺の側（立設部３３と反対の側）にはスライド係止突起３７ｃが各々設けられており、また、ガイド溝部２７の連結受け部２５の側には、スライド係止突起３７ｃが係り止めされるスライド係止受け部２８ｂが設けられている。このスライド係止突起３７ｃとスライド係止受け部２８ｂにより、スライド部３７をガイド溝部２７に摺動させて���定部３０を固着部２０に配置し、後述する固定手段３６で固定するまで仮止めが可能となる。【００３２】  固定部３０を固着部２０に固定する固定手段は、突出穴部３５ｂと留め具としてのネジ４０とで構成されている。具体的には、図１に示すとおり、スライド部３７をガイド溝部２７に摺動させながら固定部３０を固着部２０に配置し、連結受け部２５の２個の挿通穴２６に連結部３５の２個の突出部３５ａを各々挿通し、連結受け部２５から突出した突出部３５ａの突出穴部３５ｂに２個のネジ４０を各々螺合する構成となっている。なお、この固定手段は、ネジ４０と突出穴部３５ｂとの螺合を解除することで、容易に固定部３０を固着部２０から着脱可能となっている。【００３３】  以上のような構成を有する本発明の耐震固定具１０の取り付け方法の一例について、以下に図１乃至図３を用いて説明する。【００３４】  取り付け前の耐震固定具を示す図２は、機器の脚部５０を固着部２０の他方面に設置する前の状態を示している。先ず、通常４本ある機器の脚部５０が床面のどの位置に配置されるかを確認し、当該位置に固着基部２１の一方面の接着部２２を接着固定する。なお、接着部２２は、例えば重量物の固定に使用される高強度の両面接着テープや各種接着剤等を利用する。【００３５】  次に、取り付け途中の耐震固定具を示す図３の通り、脚部５０の脚端部５２を固着板穴部２４に載置する。この固着板穴部２４は、その高さ（固着基部の他方面に対して垂直な方向の深さ）が、脚端部５２の高さより大きく設定されているので、後述する耐震固定具の取り付け完了の状態において、脚端部５２が地震等による振動によっても固着板穴部２４から飛び出さない、即ち脚端部５２の移動を制限することとなる。【００３６】  次に図３に示す矢印の方向に固定部を移動させ、スライド部３７をガイド溝部２７に摺動させながら固定部３０を固着部２０に配置する。【００３７】  最後に、図１に示すように、挿通穴２６に突出部３５ａを挿通させ、突出穴部３５ｂにネジ４０を螺合させて耐震固定具１０の取り付けが完了する。【００３８】  本発明の耐震固定具１０は、固着部２０に載置した脚部５０に対して固定部を横方向（床面及び固着部２０と平行な方向）から移動させる構成となっている。このため、特許文献１に開示の耐震固定器具のように、両替機や自動販売機等の非常に重量が重い機器自身を横方向に移動させる必要がなく、取り付けが簡単である。【００３９】  また、本発明の耐震固定具１０の構成では、設置済みの機器に対しても、例えば４個の脚部５０のうちの一方辺側の２個の脚部５０を持ち上げて２個ずつ取り付けることが可能であり、取り付けが容易となっている。【００４０】  また、本発明の耐震固定具１０は、脚部５０と床面との間に設置する構成となっているので邪魔にならず、かつ、機器自身の重量で接着部２２による固着部２０の床面への固着力強度が高くなり、転倒や移動防止がより確実に可能となる。【００４１】  さらに、接着部２２に両面接着テープを使用した場合、固着部２０を回転させることで容易に床面から取り外すことが可能である。【００４２】  ＜第２の実施例＞
以下に図面を用いて本発明の第２の実施例の耐震固定具１０を説明する。図５は、第２の実施例の固着部を示す図である。図６は、第２の実施例の固定部を示す図である。なお、第１の実施例と同様の構成の箇所には、同じ符号を付して、適宜説明を省略する。【００４３】  第２の実施例の耐震固定具１０は、図５に示す固着部２０と、図６に示す固定部３０とを概略具備している。なお、図５（ａ）は固着部２０の上面図、図５（ｂ）は側面図、図５（ｃ）は正面図である。また、図６（ａ）は固定部３０の上面図、図６（ｂ）は側面図、図６（ｃ）は図６（ａ）のＸ−Ｘ断面図である。【００４４】  固着部２０は、一方面に接着部２２を有する略円形の固着基部２１と、固着基部２１の他方面に設けられる略方形の固着板部２３とを備えている。なお、第２の実施例における固着板部２３は、固着板部２３の４辺の各々に他方面へ向かって立設される４個の固着板立設部２３ａと、この固着板立設部２３ａの１個に設けられる連結受け部２５とを備えている。【００４５】  この第２の実施例における連結受け部２５は、固着板立設部２３ａの一部をその板面に平行な方向へ延出させて、くびれ部２５ａを設けた構成となっている。【００４６】  また、固定部３０は、脚部５０の軸脚部５４が挿入される切欠部３２が設けられた略方形の固定板部３１と、固定板部３１の、切欠部３２が設けられた１辺を除く、３辺の各々に固着基部２１の側へ向かって立設される３個の固定板立設部３１ａとを備えている。【００４７】  切欠部３２は、固定板部３１の一辺で開放する切り欠きで、切り欠きの奥（切り欠きの長さ方向）には脚端部５２と脚軸部５４とを連結する六角ボルトを収納する切欠奥部３２ａと切り欠きの開放部とを接続する切欠接続部３２ｂとを備えている。なお、切欠接続部３２ｂの幅（切欠部３２と垂直な方向の長さ）は、挿入される軸脚部５４の軸直径より若干大きく設定されている。同様に切欠奥部３２ａの直径は該六角ボルトの直径より若干大きく設定されている。【００４８】  また、切欠部３２が開放する一辺は、連結受け部２５に相対する側となっており、切欠接続部３２ｂと切欠部３２が開放する一辺とが交わる角が連結部３５としての連結角３５ｃとなる。【００４９】  なお、この第２の実施例の耐震固定具１０では、第１の実施例のようなガイド溝部２７とスライド部３７は備えておらず、固定部３０を固着部２０へ被せながら軸脚部５４を切欠接続部３２ｂに通し、脚端部５２と脚軸部５４とを連結する六角ボルトへ切欠奥部３２ａをはめ込む構造となっている。【００５０】  また、３個の固定板立設部３１ａのうち、切欠部３２が開放する一辺に向かい合う他の一辺（即ち、連結受け部２５と略平行な方向）の固定板立設部３１ａには、固定手段を構成する留め具としてのネジ４０を挿通させるネジ挿通穴３５ｄが設けられている。【００５１】  第２の実施例における固定部３０を固着部２０に固定する固定手段は、連結受け部２５が設けられた固着板立設部２３ａに相対する側の固着板立設部２３ａに設けられる図示しないネジ穴と、ネジ挿通穴３５ｄを挿通されて該ネジ穴に螺合されるネジ４０とで構成されている。固定部３０の固着部２０への固定は、具体的には、固着部２０へ固定部３０を覆い被せた後に、該ネジ穴へネジ４０を螺合して行われる。【００５２】  この第２の実施例の耐震固定具１０は、固着部２０に載置した脚部５０に対して、固定部３０を上から被せる構成となっている。このため、特許文献１に開示の耐震固定器具のように、両替機や自動販売機等の非常に重量が重い機器自身を横方向に移動させる必要がなく、取り付けが簡単である。【００５３】  また、第２の実施例の耐震固定具１０は、第１の実施例と同様に、設置済みの機器に対しても、例えば４個の脚部５０のうちの一方辺側の２個の脚部５０を持ち上げて２個ずつ取り付けることが可能であり、取り付けが容易となっている。【００５４】  また、第２の実施例の耐震固定具１０は、第１の実施例と同様に、脚部５０と床面との間に設置する構成となっているので邪魔にならず、かつ、機器自身の重量で接着部２２による固着部２０の床面への固着力強度が高くなり、転倒や移動防止がより確実に可能となる。
【符号の説明】
【００５５】１０・・耐震固定具、２０・・固着部、２１・・固着基部、２２・・接着部、２３・・固着板部、２３ａ・・固着板立設部、２４・・固着板穴部、２５・・連結受け部、２５ａ・・くびれ部、２６・・挿通穴、２７・・ガイド溝部、２８・・板状部材、２８ａ・・板状部材穴部、２８ｂ・・スライド係止受け部、３０・・固定部、３１・・固定板部、３１ａ・・固定板立設部、３２・・切欠部、３２ａ・・切欠奥部、３２ｂ・・切欠接続部、３３・・立設部、３３ａ・・立設板部、３３ｂ・・立設接地部、３５・・連結部、３５ａ・・突出部、３５ｂ・・突出穴部、３５ｃ・・連結角、３５ｄ・・ネジ挿通穴、３６・・固定手段、３７・・スライド部、３７ａ・・スライド板部、３７ｂ・・スライド接地部、３７ｃ・・スライド係止突起、４０・・ネジ、５０・・脚部、５２・・脚端部、５４・・脚軸部
【図１】
0005798858.tif 000002
【図２】
0005798858.tif 000003
【図３】
0005798858.tif 000004
【図４】
0005798858.tif 000005
【図５】
0005798858.tif 000006
【図６】
0005798858.tif 000007